(57)【要約】      （修正有）【課題】手触り感が良好であって、耐衝撃性に富み、複数個の携帯電話を収納することができる携帯電話収納ケースを提供する。【解決手段】携帯電話を収納できる携帯電話収納ケースで１０あって、複数の携帯電話を厚さ方向に収納できる収納部本体１１と、収納部本体内に設けられ、携帯電話を仕切って配置することができる仕切部材１２が設けられている。前記収納部本体１１は全体略直方体形状に形成され、前記仕切部材１２は可撓性のある素材により形成されていると共に全体略長方形状に形成され、前記収納部本体１１の厚さ方向において携帯電話が個別に複数個配置されるように、幅方向一端部１３が収納部本体１１のマチ部１４の内側面部に、幅方向他端部１５が収納部本体内において厚さ方向に回動可能に固定されている。【選択図】図１
0003179774.tif 000002
【実用新案登録請求の範囲】
【請求項１】
携帯電話を収納できる携帯電話収納ケースであって、複数の携帯電話を厚さ方向に収納できる収納部本体と、収納部本体内に設けられ、携帯電話を仕切って配置することができる仕切部材とを有することを特徴とする携帯電話収納ケース。
【請求項２】
上記収納部本体は全体略直方体形状に形成され、上記仕切部材は可撓性のある素材により形成されていると共に全体略長方形状に形成され、上記収納部本体の厚さ方向において携帯電話が個別に複数個配置されるように、幅方向一端部が収納部本体のマチ部の内側面部に、幅方向他端部が収納部本体内において厚さ方向に回動可能に固定されていることを特徴とする請求項１記載の携帯電話収納ケース。
【請求項３】
上記収納部本体は、上記仕切板を介して携帯電話を厚さ方向に沿って２機収納することができる厚さ寸法に形成されていることを特徴とする請求項２記載の携帯電話収納ケース。
【請求項４】
上記収納部本体は、携帯電話を出し入れしうる開口部を有すると共に、上記開口部を開閉可能に被覆することができるフラップ部を有することを特徴とする請求項３記載の携帯電話ケース。
【請求項５】
上記収納部本体及びフラップ部は、クッション材を厚さ方向内方側に有すると共にポリカーボネートを表皮とする表皮材を有することを特徴とする請求項４記載の携帯電話ケース。
【考案の詳細な説明】
【技術分野】
【０００１】
本考案は、携帯電話装置収納ケースに関する。
【背景技術】
【０００２】
現在、携帯電話としては、いわゆるスマートフォンが普及している。このようなスマートフォンのケースとしては、スマートフォン本体に被覆して固定するハードケースや、スマートフォン本体を収納して持ち歩くことができるソフトケースも販売されている。
【０００３】
このようなソフトケースの多くは、皮革製のものが多く、耐久性はあるがスマートフォンを収納した場合には所定の重量があると共に、手触り感が固いため、ソフトタッチ感に欠け、所有者が気軽に保持しにくい、という不具合があった。
【０００４】
また、皮革製であることから、スマートフォンを収納した状態で何かにぶつかったような場合には、衝撃をケースが吸収できず、そのまま収納されているスマートフォンに伝達されることから耐衝撃性の観点からは有利ではない。
【０００５】
さらに、現在、複数個のスマートフォンを所有する使用者も多く、現在複数個のスマートフォンを収納できるケースは見当たらない。
【考案の開示】
【考案が解決しようとする課題】
【０００６】
本考案はこのような従来からの不具合を解決するためのものであって、その課題は、手触り感が良好であって、耐衝撃性に富み、複数個の携帯電話を収納することができる携帯電話収納ケースを提供することにある。
【課題を解決するための手段】
【０００７】
上記課題達成のため、請求項１記載の考案にあっては、携帯電話を収納できる携帯電話収納ケースであって、複数の携帯電話を厚さ方向に収納できる収納部本体と、収納部本体内に設けられ、携帯電話を仕切って配置することができる仕切部材が設けられていることを特徴とする。
【０００８】
請求項２記載の考案にあっては、上記収納部本体は全体略直方体形状に形成され、上記仕切部材は、全体略長方形状に形成され、上記収納部本体の厚さ方向において携帯電話が個別に複数個配置されるように、幅方向一端部が収納部本体のマチ部の内側面部に、幅方向他端部が収納部本体内において厚さ方向に回動可能に固定されていることを特徴とする。
【０００９】
請求項３記載の考案にあっては、上記仕切部材は可撓性のある素材により形成されていると共に、上記収納部本体は、上記仕切部材を介して携帯電話を厚さ方向に沿って２機収納することができる厚さ寸法に形成されていることを特徴とする。
【００１０】
請求項４記載の考案にあっては、上記収納部本体は、携帯電話を出し入れしうる開口部を有すると共に、上記開口部を開閉可能に被覆することができるフラップ部を有することを特徴とする。
【００１１】
請求項５記載の考案にあっては、上記収納部本体及びフラップ部は、クッション材を厚さ方向内方側に有する共にポリカーボネートを表皮とする表皮材を有することを特徴とする。
【考案の効果】
【００１２】
請求項１記載の考案にあっては、携帯電話を収納できる携帯電話収納ケースであって、複数の携帯電話を厚さ方向に収納できる収納部本体と、収納部本体内に設けられ、携帯電話を仕切って配置することができる仕切部材が設けられており、複数の携帯電話装置を厚さ方向に沿って収納することができるため、複数の携帯電話装置を嵩張らせることなく、効率的に収納して携帯できる携帯電話装置収納ケースを提供することができる。
【００１３】
請求項２記載の考案にあっては、上記収納部本体は全体略直方体形状に形成され、上記仕切部材は可撓性のある素材により形成されていると共に全体略長方形状に形成され、上記収納部本体の厚さ方向において携帯電話が個別に複数個配置されるように、幅方向一端部が収納部本体のマチ部の内側面部に、幅方向他端部が収納部本体内において厚さ方向に回動可能に固定されていることから、仕切部材は収納部本体内で幅方向一端部が厚さ方向に動かすことができるため、収納部は仕切部材により規制されることがなく、携帯電話を収納又は取り出す際に、収納、取り出し動作を容易に行うことができる。
また、携帯電話を収納しない場合に、仕切部材を収納部本体内部で厚さ方向の一方に内側面部寄せることにより空隙を大きくつくり、当該空隙に他の小物、例えば、小型のデジタルカメラ等を収納することもできる。
【００１４】
請求項３記載の考案にあっては、上記収納部本体は、上記仕切部材を介して携帯電話を厚さ方向に沿って２機収納することができる厚さ寸法に形成されていることから、複数の携帯電話を所有する使用者に好適な携帯電話収納ケースを提供することができる。
【００１５】
請求項４記載の考案にあっては、上記収納部本体は、携帯電話を出し入れしうる開口部を有すると共に、上記開口部を開閉可能に被覆することができるフラップ部を有することから、収納した携帯電話を落下させることなく内部に確実に携帯電話を収納して保持できる携帯電話ケースを提供することができる。
【００１６】
請求項５記載の考案にあっては、上記収納部本体及びフラップ部は、クッション材を厚さ方向内方側に有する共にポリカーボネートを表皮とする表皮材を有することから、収納した携帯電話を衝撃から有効に保護することができると共に、耐候性、耐衝撃性が大きく、経年変化に強い携帯電話収納ケースを提供することができる。
【図面の簡単な説明】
【００１７】
【図１】本考案に係る携帯電話装置収納ケースの一実施の形態における表面側を示す平面図である。
【図２】本考案に係る携帯電話装置収納ケースの一実施の形態における図１に示す携帯電話装置収納ケースフラップ部を反らし開口部を真上から見た平面図である。
【図３】本考案に係る携帯電話装置収納ケースの一実施の形態における図１に示す携帯電話装置収納ケース開口部の閉口状態の平面図である。
【図４】本考案に係る携帯電話装置収納ケースの一実施の形態における図３に示す携帯電話装置収納ケースの裏面側を示す平面図である。
【考案を実施するための最良の形態】
【００１８】
以下、添付図面に示す実施の形態に基づき、本考案を詳細に説明する。
【００１９】
図１に示すように、本実施の形態に係る携帯電話装置収納ケース１０は、複数の携帯電話を厚さ方向に収納できる収納部本体１１と、収納部本体内に設けられ、携帯電話を仕切って配置することができる仕切部材１２とを有している。
【００２０】
図１及び図２に示すように、上記収納部本体１１は全体略直方体形状に形成され、上記仕切部材１２は可撓性のある素材により形成されていると共に全体略長方形状に形成され、上記収納部本体１１の厚さ方向において携帯電話が個別に複数個配置されるように、幅方向一端部１３が収納部本体１１のマチ部１４の内側面部に、幅方向他端部１５が収納部本体内において厚さ方向に回動可能に固定されている。
【００２１】
また、上記収納部本体１１は、上記仕切部材１２を介して携帯電話を厚さ方向に沿って２機収納することができる厚さ寸法に形成されている。
【００２２】
図１及び図２に示すように、上記収納部本体１１は、携帯電話を出し入れしうる開口部１６を有すると共に、上記開口部１６を開閉可能に被覆することができるフラップ部１７を有している。
【００２３】
図１乃至図４に示すように、上記収納部本体１１及びフラップ部１７は、クッション材１８を厚さ方向内方側に有すると共にポリカーボネートを表皮とする表皮材１９を有している。
【実施例１】
【００２４】
以下に、図面を用いて本実施例について詳細を説明する。
【００２５】
図１に示すように、本実施例に係る携帯電話収納ケース１０は、全体略直方体形状に形成された収納部本体１１と、収納部本体１１に設けられた開口部１６を開閉可能に被覆するフラップ部１７とを備えている。
【００２６】
図１及び図２に示すように、収納部本体１１は、長方形の前面部２０と、前面部２０の幅方向両側に連設された一対の長方形状のマチ部１４、１４と、前面部２０の長さ方向一端部に連設された長方形状の底面部２１と、マチ部１４、１４及び底面部２１に縫合固定され背面側に設けられた全体略長方形状の基板部２２とを有している。
【００２７】
また、前面部２０の長さ方向他端部には側面略長方形状の開口部１６を有している。前面部２０の開口部側端部２３は、円弧状に切りかかれて形成され、周縁部には一方の面ファスナー部２４が設けられている。
【００２８】
図１及び図３に示すように、基板部２２の長さ方向半部は中途で折曲することにより上記フラップ部１７を形成している。フラップ部１７は全体略舌片状に形成され、先端部には一方の面ファスナー部２４に係合する他方の面ファスナー部２５が設けられている。
【００２９】
図４に示すように、上記基板部２２の背面側には、収納部本体１１と略同一の大きさのポケット部２６が形成れると共に、ポケット部２６の開口部２７の上方にはストラップ部２８が固定されている。
【００３０】
また、上記ストラップ部２８は、基端部２９が固定片部３０により基板部２２の幅方向一端部に縫合固定され、先端部にはフック部材３１が取り付けられており、リング部材３２により長さ調整が可能なように構成されている。また、基板部２２の幅方向他端部にはＤリング３３が取付部材３４を介して固定片部３０に縫合固定されており、上記フック部材３１を係合固定しうるようになっている。
【００３１】
図１乃至図４に示すように、上記収納部本体１１を形成する前面部２０、一対のマチ部１４、１４、底面部２１及び基板部２２は、内側面部はメッシュ材からなるクッション部材１８と、クッション部材１８の表面側に設けられたポリカーボネートからなる表皮材１９とにより構成されている。
【００３２】
図１及び図２に示すように、上記収納部本体１１の内方には、仕切部材１２が設けられている。仕切部材１２は、上記前面部２０と略同一の形状及び大きさの板状に形成され、幅方向一端部１３はＬ字状に折曲されて固定片部３５が形成され、固定片部３５を介して一方のマチ部１４の内側面部に縫合固定されている。
【００３３】
また、上記固定片部３５の幅寸法は、マチ部１４の内側面部の幅寸法の約１／２に形成されていることから、仕切部材１２は収納部本体内部の収納空隙を厚さ方向に２等分するように構成されている。
【００３４】
また、上記収納部本体１１を構成する前面部２０は、現在市販されているいわゆるスマートフォンの縦及び横の寸法を、マチ部１４は同様のスマートフォンの厚さ寸法を考慮し、仕切部材１２により画成される２つの空隙へスマートフォンを夫々収納しうる大きさに形成されている。
【００３５】
以下、本実施の形態に係る携帯電話装置収納ケース１０の作用について説明する。
【００３６】
携帯電話装置収納ケース１０の収納部本体１１へスマートフォンを収納する際には仕切部材１２を挟んだ２つの空隙の一方へ１台ずつスマートフォンを収納することができる。このとき、一対の面ファスナー部２４、２５を係合しフラップ部１７と上記収納部本体１１を係止固定して使用することができる。
したがって、１台ずつスマートフォンを収納可能なため、スマートフォンと同程度もしくはそれ以下のサイズの携帯電話とスマートフォンを各１台ずつ収納してもよく、収納可能な携帯機器が多くなることから、様々な携帯機器保持者にも好適である。
【００３７】
また、携帯電話装置収納ケース１０の収納部本体１１にスマートフォンを収納した際、上記収納部本体１１の基板部２２にあるポケット部２６の開口部２７からカード類や紙片類を収納して使用することができる。このとき、ポケット部２６の開口部２７の上方にあるストラップ部２８は、フック部材３１とＤリング３３とで係合固定しうるようになっておりストラップ部２８と収納部本体１１が係合固定されているため、ストラップ部２８を持ち上げると携帯電話装置収納ケース１０も同時に持ち上げることができる。
したがって、ストラップ部２８を手で持ち歩くことや、バッグや衣類などに係合させ携帯することもでき、且つ首掛け用などの別のストラップと係合させれば、胸元辺りで上記ケース１０を保持することもでき、視界に入り易い近いところで携帯できるため、盗難防止にも役に立つことができる。
【００３８】
また、上記収納部本体１１を形成する前面部２０、一対のマチ部１４、１４と、底面部２１及び基板部２２は、内側面部はメッシュ材からなるクッション部材１８と、クッション部材１８の表面側に設けられたポリカーボネートからなる表皮材１９とにより構成されており、クッション部材１８にはメッシュ材を用いていることで通気性、柔軟性が高く、軽量であり、表皮材１９にはポリカーボネートを用いている。ポリカーボネートは、経年変化に強く、耐候性、耐衝撃性、耐熱性、及び難燃性などにおいて高い物性を示す。
したがって、落下時の故障可能性が高い小型の精密機器類などを安全に携帯することもできる。
【００３９】
携帯電話装置収納ケース１０の収納部本体１１の内方には厚さ方向に回動可能な仕切部材１２が設けられている。
したがって、携帯電話を収納しない場合には、上記仕切部材１２を上記収納部本体内部の厚さ方向一方の内側面部へ寄せることにより、空隙を大きくつくり、上記空隙に他の小物、例えば小型のデジタルカメラ等を収納することもでき、他方の小さい空隙には上記デジタルカメラのメモリーカードなどを収納することもできる。
【００４０】
なお、本実施の形態では、ストラップ部２８の長さは収納部本体１１の幅程度の長さのものを使用しているが、首掛け用で胸元までの長さや肩掛け用で肩から腰までの長さのものを使用してもよい。
【００４１】
また、本実施の形態では、クッション材１８はメッシュ材を用いたが、収納品を落下などの衝撃から保護可能な材質であればよく、適宜変更可能である。
【００４２】
また、本実施の形態では、表皮材１９はポリカーボネートを用いたが、携帯電話装置収納ケース１０を経年変化に強く、耐候性、耐衝撃性、耐熱性、及び難燃性などが大きい性質を持つよう保護可能な材質であればよく、適宜変更可能である。
【００４３】
また、本実施の形態では、仕切部材１２は一枚だけ使用しているが、上記仕切部材１２の数を増やすことで、収納部本体１１の内部は狭まるが、スマートフォンよりも厚さが薄い小型機器などを複数台収納してもよい。
【産業上の利用可能性】
【００４４】
本考案に係る携帯電話収納ケースは広く携帯電話を収納できる収納体に適用することができるため、産業上の利用可能性を有している。
【符号の説明】
【００４５】
１０ 携帯電話装置収納ケース
１１ 収納部本体
１２ 仕切部材
１３ 幅方向一端部
１４ マチ部
１５ 幅方向他端部
１６ 開口部
１７ フラップ部
１８ クッション材
１９ 表皮材
２０ 前面部
２１ 底面部
２２ 基板部
２３ 開口部側端部
２４ 面ファスナー
２５ 面ファスナー
２６ ポケット部
２７ 開口部
２８ ストラップ部
２９ 基端部
３０ 固定片部
３１ フック部材
３２ リング部材
３３ Ｄリング
３４ 取付部材
３５ 固定片部
【図１】
0003179774.tif 000003
【図２】
0003179774.tif 000004
【図３】
0003179774.tif 000005
【図４】
0003179774.tif 000006